(57)【特許請求の範囲】
【請求項１】
情報素材の送出順序を規定したプログラムリストに従つて複数の上記情報素材を順次送出する情報送出装置において、
送出予定の複数の上記情報素材を記憶すると共に、上記プログラムリストに基づいて、記憶した複数の上記情報素材のなかから対応する上記情報素材の送出スタンバイを行い、トリガ信号が与えられたタイミングで当該送出スタンバイした上記情報素材を送出する情報記憶送出手段と、
上記プログラムリストを管理し、当該プログラムリストに基づいて必要時に上記情報記憶送出手段に対して上記トリガ信号を送出するプログラムリスト管理手段と
を具えることを特徴とする情報送出装置。
【請求項２】
上記プログラムリスト管理手段には、
上記プログラムリストにおいて設定された上記情報素材に対する上記トリガ信号の出力元を、当該プログラムリスト管理手段及び外部のいずれかに自在に切り換えることができる機能が搭載された
ことを特徴とする請求項１に記載の情報送出装置。
【請求項３】
情報素材の送出順序を規定したプログラムリストに従つて複数の上記情報素材を順次送出する情報送出方法において、
所定の情報記憶送出手段により、送出予定の複数の上記情報素材を記憶すると共に、上記プログラムリストに基づいて、記憶した複数の上記情報素材のなかから対応する上記情報素材の送出スタンバイを行い、トリガ信号が与えられたタイミングで当該送出スタンバイした上記情報素材を送出する情報記憶送出ステップと、
所定のプログラムリスト管理手段により、上記プログラムリストを管理し、当該プログラムリストに基づいて必要時に上記情報記憶送出手段に対して上記トリガ信号を送出するプログラムリスト管理ステップと
を具えることを特徴とする情報送出方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）本実施の形態によるテレビジヨン放送システムの構成（図１）
（２）ＣＭインサーシヨン装置の構成（図２）
（３）プレイアウト部の構成（図３及び図４）
（４）プレイアウト制御部のＣＰＵの処理
（４−１）各種プログラムの流れ（図５）
（４−２）各種画面での操作手順（図６〜図１３）
（５）本実施の形態の動作及び効果（図１〜図１３）
（６）他の実施の形態（図１〜図１３）
発明の効果
【０００３】
【発明の属する技術分野】
本発明は情報送出装置及び情報送出方法に関し、例えばテレビジヨン放送システムに適用して好適なものである。
【０００４】
【従来の技術】
従来、テレビジヨン放送システムにおいては、何時何分からどのような番組を放送し、かつその合間に何時何分から何秒間ＣＭ（コマーシヤル）を放送するといつた予め作成された番組及びＣＭの送出順序を規定した第１のプログラムリスト（以下、これを番組編制リストと呼ぶ）に従つて番組の映像音声信号を出力する番組送出装置の当該出力と、何時何分からどのようなＣＭを放送するといつた予め作成されたＣＭの送出順序を規定した第２のプログラムリスト（以下、これをプレイリストと呼ぶ）に従つてＣＭの映像音声信号を出力するＣＭインサーシヨン装置の当該出力とを順次切り換えながら外部に送出することにより、番組の合間にＣＭが挿入されてなるテレビジヨン放送を行い得るようになされている。
【０００５】
この場合ＣＭインサーシヨン装置は、プレイリストに基づいてＣＭの送出準備（スタンバイ）を行つた後は、番組編制リストを管理する主制御装置から与えられるＧＰＩ（General Perpose Interface ）信号をトリガとして、対応するＣＭの映像音声信号を出力するようになされていた。
【０００６】
【発明が解決しようとする課題】
ところがかかるテレビジヨン放送システムでは、上述のようにＣＭインサーシヨン装置が主制御装置から与えられるＧＰＩ信号にのみ基づいて対応するＣＭの映像音声信号を出力するようになされているため、例えば主制御装置に不具合が生じてＧＰＩ信号を出力し得なくなつたときなどにＣＭを放送できないなどの放送事故が発生する問題があつた。
【０００７】
従つてこの種のテレビジヨン放送システムにおいて、主制御装置に不具合が生じた場合においても確実にＣＭインサーシヨン装置からＣＭの映像音声信号を送出し得るようにすることができれば、放送事故を回避してテレビジヨン放送システムとしての信頼性を向上させ得るものと考えられる。
【０００８】
本発明は以上の点を考慮してなされたもので、情報送出の信頼性を向上させ得る情報送出装置及び情報送出方法を提案しようとするものである。
【０００９】
【課題を解決するための手段】
かかる課題を解決するため本発明においては、情報素材の送出順序を規定したプログラムリストに従つて複数の情報素材を順次送出する情報送出装置において、プログラムリストを管理するプログラムリスト管理手段が、プログラムリストに基づいて必要時に情報記憶送出手段に対してトリガ信号を送出するようにした。
【００１０】
この結果この情報送出装置では、外部機器の不具合等に関わりなく、プログラムリスト管理手段から出力されるトリガ信号に基づいて情報記憶送出手段から対応する情報素材を確実に送出し得るようにすることができる。
【００１１】
また本発明においては、情報素材の送出順序を規定したプログラムリストに従つて複数の情報素材を順次送出する情報送出方法において、所定の情報記憶送出手段により、送出予定の複数の上記情報素材を記憶すると共に、プログラムリストに基づいて、記憶した複数の情報素材のなかから対応する情報素材の送出スタンバイを行い、トリガ信号が与えられたタイミングで当該送出スタンバイした情報素材を送出する情報記憶送出ステップと、所定のプログラムリスト管理手段により、プログラムリストを管理し、当該プログラムリストに基づいて必要時に情報記憶送出手段に対してトリガ信号を送出するプログラムリスト管理ステップとを設けるようにした。
【００１２】
この結果この情報送出方法では、外部機器の不具合等に関わりなく、プログラムリスト管理ステップから出力されるトリガ信号に基づいて情報記憶送出ステップから対応する情報素材を確実に送出し得るようにすることができる。
【００１３】
【発明の実施の形態】
以下図面について、本発明の一実施の形態を詳述する。
【００１４】
（１）本実施の形態によるテレビジヨン放送システムの構成
図１において、１は全体として本実施の形態によるテレビジヨン放送システムを示し、番組編制リストを管理する主制御装置２と、番組編制リストに従つて複数チヤンネル分の番組の映像音声信号Ｓ１Ａ〜Ｓ１Ｆを送出する番組送出装置３と、各チヤンネル毎に対応するプレイリストに従つてＣＭの映像音声信号Ｓ２Ａ〜Ｓ２Ｆを送出するＣＭインサーシヨン装置４と、番組出力装置３及びＣＭインサーシヨン装置４の各出力を各チヤンネル毎に切り換えて出力するスイツチヤ５とから構成されている。
【００１５】
この場合主制御装置２は、予め登録されている番組編制リストに基づいてカートマシン及び各チヤンネルにそれぞれ対応させて設けられたビデオテープレコーダからなる番組送出装置３を制御することにより、各チヤンネル毎に指定された番組の映像音声信号Ｓ１Ａ〜Ｓ１Ｆを送出させる。
【００１６】
また主制御装置２は、番組編制リストに従つて、いずれかのチヤンネルがＣＭの送出時刻になると、そのチヤンネルに対するＧＰＩ信号Ｓ３Ａ〜Ｓ３ＦをＣＭインサーシヨン装置４に送出する。
【００１７】
このときＣＭインサーシヨン装置４は、予め各チヤンネル毎に設定されたプレイリストに従つて、各チヤンネル毎に次に送出すべきＣＭの映像音声信号Ｓ２Ａ〜Ｓ２Ｆの送出準備を完了しており、主制御装置２からＧＰＩ信号Ｓ３Ａ〜Ｓ３Ｆが与えられたタイミングで対応するＣＭの映像音声信号Ｓ２Ａ〜Ｓ２Ｆの送出を開始し、これを対応するチヤンネルでスイツチヤ５に送出する。
【００１８】
またこのときスイツチヤ５は、主制御装置２の制御のもとにそのチヤンネルについてはＣＭインサーシヨン装置４の出力を選択しており、かくして当該ＣＭインサーシヨン装置４から出力されたＣＭの映像音声信号Ｓ２Ａ〜Ｓ２Ｆがスイツチヤ５を介して番組出力装置３から出力される番組映像音声信号Ｓ１Ａ〜Ｓ１Ｆに代えて外部に出力される。
【００１９】
これによりこのテレビジヨン放送システム１では、予め作成された番組編制リスト及びプレイリストに従つて、各チヤンネル毎に番組の映像音声信号Ｓ１Ａ〜Ｓ１Ｆと、ＣＭの映像音声信号Ｓ２Ａ〜Ｓ２Ｆとを順次切り換えながら送出し得、かくして番組の合間にＣＭが挿入されてなるテレビジヨン放送を複数チヤンネルで放送し得るようになされている。
【００２０】
（２）ＣＭインサーシヨン装置の構成
ここでＣＭインサーシヨン装置４は、図２に示すように、例えばビデオテープに記録されて供給されるＣＭの映像音声信号を予め作成されたエンコード処理用のプログラムリスト（以下これをエンコードリストと呼ぶ）に従つて圧縮符号化するエンコード処理部１０と、得られた各ＣＭのエンコードデータＤ１を記憶保持すると共に、これを各チヤンネル毎に設定されたプレイリストに従つて再生し、デコードして出力するプレイアウト部１１とから構成されている。
【００２１】
この場合エンコード処理部１０においては、エンコード制御部２０の制御のもとに、ビデオテープに記録された各ＣＭの映像音声信号をビデオテープレコーダ２１により再生し、当該映像音声信号に基づく映像をモニタ２２に表示し、かつ当該映像音声信号に基づく音声をスピーカ２３から出力し得るようになされている。
【００２２】
これによりこのエンコード処理部１０では、オペレータが映像及び音声を確認しながらビデオテープに記録された各ＣＭの映像音声信号のエンコードの開始点及び終了点や、その開始点及び終了点が確定された映像音声信号（以下、これをクリツプと呼ぶ）のＩＤ及びタイトル等をエンコード制御部２０に入力するようにして所望のエンコードリストを作成し得るようになされている。
【００２３】
またエンコード処理部１０においては、このようにして作成されたエンコードリストに従つて、エンコード制御部２０の制御のもとに、ビデオテープに記録された各ＣＭの映像音声信号をビデオテープレコーダ２１により再生し、これらをエンコーダ部２４において圧縮符号化して多重化し得るようになされ、得られた各ＣＭのエンコードデータＤ１をプレイアウト部１１のビデオサーバ２５に送出する。
【００２４】
またエンコード処理部１０のエンコード制御部２０は、エンコードリストのデータ（以下、これをエンコードリストデータと呼ぶ）をイーサネツト２８を介してプレイアウト部１１のプレイアウト制御部２９に送出する。
【００２５】
このときエンコード処理部１０には、ハードデイスク装置でなるライブラリユニツト２６と、カセツトテープレコーダでなるストリーマ２７とが設けられており、エンコーダ部２４から出力される各ＣＭのエンコードデータＤ１を必要に応じてライブラリユニツト２６に一時保持し、又はストリーマ２７を介してカセツトテープに記録し得るようになされている。
【００２６】
一方プレイアウト部１１においては、プレイアウト制御部２９の制御のもとに、エンコード処理部１０のエンコーダ部２４から供給される各ＣＭのエンコードデータＤ１をビデオサーバ２５に接続されたハードデイスク装置でなる複数のメデイアユニツト３０Ａ〜３０Ｇのうちの指定されたメテイアユニツト３０Ａ〜３０Ｇに与えて記憶させる。
【００２７】
またプレイアウト部２０においては、プレイアウト制御部２９を用いて各チヤンネル毎のプレイリストを作成し、編集することができ、このようにして作成した各プレイリストに従つてプレイアウト制御部２９の制御のもとに、主制御部２（図１）から供給されるＧＰＩ信号Ｓ３Ａ〜Ｓ３Ｆを送出トリガとして、対応するメデイアユニツト３０Ａ〜３０Ｇから対応するＣＭのエンコードデータＤ１を読み出し、これをビデオサーバ２５においてデコードした後、得られた映像音声信号Ｓ２Ａ〜Ｓ２Ｆを上述のように対応するチヤンネルでスイツチヤ５（図１）に送出する。
【００２８】
なおプレイアウト部１１にはテープレコーダでなるストリーマ３１が設けられており、プレイアウト制御部２９の制御のもとに、カセツトテープに記録されて供給されるＣＭのエンコードデータＤ２をストリーマ３１により再生し、これをビデオサーバ２５を介してオペレータにより指定されたメデイアユニツト３０Ａ〜３０Ｇ内に格納することもできるようになされている。
【００２９】
かかる構成に加えこのＣＭインサーシヨン装置４では、プレイアウト部１１のプレイアウト制御部２９を用いてプレイリストを作成する際に、ビデオサーバ２５から対応するＣＭのエンコードデータＤ１を再生し、デコードして送出する際の送出トリガとして、主制御装置２（図１）から与えられるＧＰＩ信号３Ａ〜Ｓ３Ｆと、所定のキー入力と、プレイアウト制御部２９に内蔵されたタイマ時刻との中から所望の１つを選択して設定することができるようになされている。
【００３０】
そしてプレイアウト部１１のプレイアウト制御部２９は、ＣＭの送出トリガとしてキー入力が選択された場合において、オペレータがプレイアウト制御部２９のキーボードを用いて所定のキー操作が行われた場合や、ＣＭの送出トリガとしてプレイアウト制御部２９内のタイマが選択された場合において、当該タイマが指定された時刻になつた場合には、そのチヤンネルに対するＧＰＩ信号Ｓ４Ａ〜Ｓ４Ｆをビデオサーバ２５に送出するようになされている。
【００３１】
このときビデオサーバ２５は、プレイアウト制御部２９から予め与えらたプレイリストのデータ（以下、これをプレイリストデータと呼ぶ）に基づいて各チヤンネル毎に次に送出すべきＣＭの送出準備（スタンバイ）を行つており、主制御装置２（図１）又はプレイアウト制御部２９からＧＰＩ信号Ｓ３Ａ〜Ｓ３Ｆ、Ｓ４Ａ〜Ｓ４Ｆが与えられると、これに応動して対応するＣＭを再生及びデコードして、得られたそのＣＭの映像音声信号Ｓ２Ａ〜Ｓ２Ｆを対応するチヤンネルで出力するようになされている。
【００３２】
これによりこのＣＭインサーシヨン装置４においては、主制御装置（図１）に不具合が生じてＧＰＩ信号Ｓ２Ａ〜Ｓ２Ｆを送出できない場合においても、ＣＭの送出トリガとしてキー入力又はプレイアウト制御部２９内のタイマ時刻に切り換えるようにして対処でき、かくしてＣＭが放送できないなどの放送事故が発生するのを未然に回避し得るようになされている。
【００３３】
（３）プレイアウト部の構成
ここでプレイアウト部１１のプレイアウト制御部２９は、図３に示すように、ＣＰＵ（Central Processing Unit ）４０、ＲＯＭ（Read Only Memory）４１、ＲＡＭ（Random Access Memory）４２、ＶＲＡＭ（Video ＲＡＭ）４３及びタイマ４４がシステムバス４５を介して相互に接続されることにより構成されている。
【００３４】
またシステムバス４５には、入力手段としてのキーボード４６及びマウス４７や、プリンタ４８、外部記憶手段としてのハードデイスク装置４９、表示手段としてのＣＲＴ（Cathode-Ray Tube）５０がそれぞれキーボードインターフエース回路５１、マウスインターフエース回路５２、パラレルインターフエース回路５３、ＳＣＳＩ（Small Computer System Interface ）インターフエース回路５４及びデイジタルアナログ変換回路５４を介して接続されると共に、イーサネツトインターフエース回路５６を介してエンコード処理部１０のエンコード制御部２０が接続され、かつシリアルインターフエース回路５７を介してビデオサーバ２５が接続されている。
【００３５】
この場合ＣＰＵ４０は、エンコードデータＤ１のダウンロードモード時、エンコード処理部１０のエンコード制御部２０から与えられる制御信号に基づいてビデオサーバ２５を制御することにより、エンコード処理部１０のエンコーダ部２４（図２）から与えられる各ＣＭのエンコードデータＤ１を指定されたメデイアユニツト３０Ａ〜３０Ｇに格納させる。
【００３６】
またＣＰＵ４０は、このときエンコード制御部２０から与えられる各クリツプのクリツプＩＤ、タイトル及びクリツプ長（デユレーシヨン）等の情報を含んでなるエンコードリストのデータ（以下、これをエンコードリストデータと呼ぶ）をハードデイスク装置４９内の所定領域に格納して保存する。
【００３７】
一方ＣＰＵ４０は、プレイリストの作成モード時、ハードデイスク装置４９内に格納された各種プログラムのなかから対応するプログラムを読み出してこれをＲＡＭ４２にダウンロードする。
【００３８】
またこのときＣＰＵ４０は、ＲＡＭ４２にダウンロードしたプログラムに基づく画像データをＶＲＡＭ４３に格納する一方、当該画像データを所定周期で読み出し、これをデイジタルアナログ変換回路５５においてアナログ変換させた後ＣＲＴ５０に与えることにより、対応する画面をＣＲＴ５０に表示させる。
【００３９】
さらにＣＰＵ４０は、ＲＡＭ４２にダウンロードしたプログラム及びこのときキーボード４６及びマウス４７を介して入力される各種コマンドに基づいて、必要なデータやプログラムをハードデイスク装置４９から読み出しながら対応する処理を実行する。
【００４０】
そしてＣＰＵ４０は、このようにして作成されたプレイリストの保存命令が入力されると、当該プレイリストのデータをハードデイスク装置４９内の対応する領域に格納して保存する。
【００４１】
なおＣＰＵ４０は、プリント命令が入力された場合には、ＶＲＡＭ４３に格納された画像データを読み出し、これをプリンタ４８に送出する。これによりＣＰＵ４０は、このときＣＲＴ５０に表示されている画面をプリントさせる。
【００４２】
これに対してＣＰＵ４０は、プレイリストの実行処理モード時、対応するプレイリストデータをハードデイスク装置４９から読み出してＲＡＭ４２にダウンロードし、当該プレイリストに基づいてビデオサーバ２５を制御することにより、当該ビデオサーバ２５にこのプレイリストに基づいてＣＭを送出させる。
【００４３】
このときＣＰＵ４０は、いずれかのチヤンネルにおいてＣＭの送出トリガとしてキー入力が選択されている場合において、キーボード４６の『Ctrl』キー及びそのチヤンネルに対応するフアンクシヨンキー（F1〜F6）が同時に押圧操作されると、これに応動してそのチヤンネルに対するＧＰＩ信号Ｓ４Ａ〜Ｓ４Ｆをビデオサーバ２５に送出する。
【００４４】
またＣＰＵ４０は、ＣＭの送出トリガとしてタイマ時刻が選択されている場合において、タイマ４４の時刻が指定された時刻になると、これに応動してそのチヤンネルに対するＧＰＩ信号Ｓ４Ａ〜Ｓ４Ｆをビデオサーバ２５に送出する。
【００４５】
このようにしてプレイアウト制御部２９は、各プレイリストを管理し、当該プレイリスト及び各種プログラムに基づいて各チヤンネル毎のＣＭの送出制御を行い得るようになされている。
【００４６】
一方ビデオサーバ２５においては、図４に示すように構成されており、エンコード処理部１０（図２）のエンコーダ部２４から与えられる各ＣＭのエンコードデータＤ１をデータ入力部６０に入力する。
【００４７】
このときシステム制御部６１には、プレイアウト制御部からそのＣＭのエンコードデータＤ１をどのメデイアユニツトに格納すべきかの情報（以下、これをメデイア指定情報と呼ぶ）が与えられる。
【００４８】
かくしてシステム制御部６１は、このメデイア指定情報に基づいて時分割多重制御部６２を介して対応するＨＤＤ制御部６３Ａ〜６３Ｆを制御することにより、データ入力部６０を介して取り込んだＣＭのエンコードデータＤ１を指定されたメデイアユニツト３０Ａ〜３０Ｇ内に格納させる。
【００４９】
一方プレイリストを実行する動作モード時、システム制御部６１にはプレイアウト制御部２９から各チヤンネル毎のプレイリストデータが与えられる。そしてシステム制御部６１は、このプレイリストデータに基づいて時分割多重制御部６２を介して対応するＨＤＤ制御部６３Ａ〜６３Ｄを制御することにより、各チヤンネル毎の次に送出すべきＣＭのエンコードデータＤ１を記憶しているメデイアユニツト３０Ａ〜３０ＧにこれらＣＭの送出準備（スタンバイ）を行わせる。
【００５０】
そしてシステム制御部６１は、この後主制御装置２（図１）又はプレイアウト制御部２９からいずれかのチヤンネルに対するＧＰＩ信号Ｓ３Ａ〜Ｓ３Ｆ、Ｓ４Ａ〜Ｓ４Ｆが与えられると、時分割多重制御部６２を介して対応するＨＤＤ制御部６３Ａ〜６３Ｆを制御することにより、対応するメデイアユニツト３０Ａ〜３０Ｇから対応するＣＭのエンコードデータＤ１を読み出させる。この結果このメデイアユニツト３０Ａ〜３０Ｇから読み出されたエンコードデータＤ１は、対応するＨＤＤ制御部６３Ａ〜６３Ｇ及びデータバス６４を介して時分割多重制御部６２に与えられる。
【００５１】
このとき時分割多重制御部６２は、供給されるエンコードデータＤ１を時分割多重処理し、得られたビツトストリームデータＤ３をデータバス６５を介して各チヤンネルに対応して設けられたＡ／Ｖ（Audio/Video ）デコード部６６Ａ〜６６Ｆのうちの対応するＡ／Ｖデコード部６６Ａ〜６６Ｆに送出する。この結果このビツトストリームデータＤ３はこの後そのＡ／Ｖデコード部６６Ａ〜６６Ｆにおいてデコードされ、得られたアナログ波形の映像音声信号Ｓ２Ａ〜Ｓ２Ｆが対応するチヤンネルに送出される。
【００５２】
このようにしてこのビデオサーバ２５においては、プレイアウト制御部２９の制御のもとに、エンコード処理部１０（図２）のエンコーダ部２４から与えられる各ＣＭのエンコードデータＤ１を指定されたメデイアユニツト３０Ａ〜３０Ｇに記憶保持する一方、当該記憶保持したエンコードデータＤ１を対応するプレイリストと、主制御装置２又はプレイアウト制御部２９から与えられるＧＰＩ信号Ｓ３Ａ〜Ｓ３Ｆ、Ｓ４Ａ〜Ｓ４Ｆに基づいて再生し、デコードして対応するチヤンネルで送出することができるようになされている。
【００５３】
（４）プレイアウト制御部のＣＰＵの処理
（４−１）各種プログラムの流れ
ここでこの実施の形態によるプレイアウト制御部２９では、上述のようにハードデイスク装置４９（図３）にプレイリストを作成するためのプログラムや、当該プレイリストに従つてＣＭを送出させるためのプログラム等の各種プログラムからなる複数のソフトウエアが格納されている。
【００５４】
この場合プレイアウト制御部２９のＣＰＵ４０は、各プログラムの実行時には、当該プログラムに対応する所定画面をＣＲＴ５０（図３）に表示させる。そしてこれら各画面（すなわち各プログラム）は、図５に示す流れで呼び出すことができ、かくしてオペレータがこの流れに沿つて所望のプログラムリストを作成又は編集し、当該作成したプログラムリストを所望するチヤンネルに設定することができるようになさている。
【００５５】
（４−２）各種画面での操作手順
ここで実際上プレイアウト制御部２９のＣＰＵ４０は、電源が投入された立ち上がり時、図６に示すようなメインメニユー画面７０をＣＲＴ５０（図３）に表示させる。
【００５６】
このメインメニユー画面７０では、プレイアウト部１１の各メデイアユニツト３０Ａ〜３０Ｇに格納された各ＣＭのエンコードデータＤ１を管理する第１のソフトウエアを選択するためのクリツプマネージメントボタン７１と、プレイリストを作成及び編集する第２のソフトウエアを選択するためのクリツプマネージメントボタン７２と、各チヤンネル毎に所望のプレイリストを設定すると共に、当該設定された各プレイリストに基づく各チヤンネル毎のＣＭの送出状態をモニタリングする第３のソフトウエアを選択するためのクリツプマネージメントボタン７３と、各種設定を行う第４のソフトウエアを選択するためのユーテイリテイボタン７４とが表示される。
【００５７】
そしてＣＰＵ４０は、マウス操作により例えばプレイリストマネージメントボタン７２がクリツクされると、図７に示すプレイリストマネージメント画面８０をＣＲＴ５０（図３）に表示させる。
【００５８】
このプレイリストマネージメント画面８０では、すでに作成された複数のプレイリストの各ＩＤ（Play List ID）と、その放送予定日（ON-Air-Date ）と、放送予定チヤンネル（VSR OUT ）とがそれぞれ一覧としてプレイリストボツクス８１内に表示される。そしてこのプレイリストボツクス８１内の表示内容は、当該プレイリストボツクス８１横に表示されたアツプダウンボタン８２Ａ、８２Ｂを操作することによりスクロールさせることができる。
【００５９】
またこのプレイリストマネージメント画面８０では、プレイリストボツクス８１の右側に所望するチヤンネルを選択するためのチヤンネル指定ボタン８３と、プレビユーボタン８４と、ブローズボタン８５とが設けられている。
【００６０】
そしてオペレータは、マウス操作によりプレイリストボツクス８１内のいずれかのプレイリストを選択し、放送が行われていないチヤンネルに対応する１つのチヤンネル指定ボタン８３をクリツクした後、プレビユーボタン８４をクリツクすることによつて、選択したプレイリストに登録されている各ＣＭの映像を指定したチヤンネル用のモニタに表示させることができる。
【００６１】
またプレビユーボタン８４に換えてブローズボタン８５を同様にしてクリツクすることによつて、選択したプレイリストに登録されている各ＣＭの映像をその最初から例えば５秒間ずつ順次指定されたチヤンネル用のモニタに表示させることができる。
【００６２】
なおこのプレイリストマネージメント画面８０では、マウス操作によりプレイリストボツクス８１内のいずれかのプレイリストを選択し、デレートボタン８６をクリツクすることよつて選択したプレイリストのデータを削除することができる。
【００６３】
またプレイリストマネージメント画面８０では、ソートボタン８７をクリツクすることによつてプルダウンメニユー（図示せず）を当該プレイリストマネージメント画面８０上に重ねて表示させることができ、そのプルダウンメニユーを用いてプレイリストボツクス８１内に表示されたプレイリストの順番をプレイリストＩＤの小さい順、放送予定日の早いもの順又は放送予定チヤンネル順に並べ代えることができる。
【００６４】
さらにこのプレイリストマネージメント画面８０では、メインメニユーボタン８８をクリツクすることによつてメインメニユー画面７０（図６）に戻ることができ、プリントボタン８９をクリツクすることによつてこのプレイリストマネージメント画面８０をプリントすることができる。
【００６５】
一方このプレイリストマネージメント画面８０では、マウス操作によりニユーボタン９０をクリツクし、又はプレイリストボツクス８１内のいずれかのプレイリストのプレイリストＩＤをクリツクすることにより当該プレイリストを選択した後チエンジボタン９１をクリツクすることによつて、図８又は図９に示すプレイリスト作成画面１００をＣＲＴ５０（図３）に表示させることができる。
【００６６】
このプレイリスト作成画面１００は、キーボード４６を用いて各種情報を入力するようにしてプレイリストを新規作成又は変更するための画面であり、例えばプレイリストマネージメント画面８０（図７）のニユーボタン９０をクリツクすることによりプレイリスト作成画面１００をオープンさせた場合には図８のような初期状態のプレイリスト作成画面１００が表示される。
【００６７】
そしてこの状態において、まず最初にこれから作成しようとするプレイリストの実行日、放送予定チヤンネル及びプレイリストＩＤをキーボード４６（図３）を介して順次入力することによつて、これらをそれぞれ日付欄１０１、チヤンネル表示欄１０２及びプレイリストＩＤ表示欄１０３に表示させることができる。
【００６８】
またこのプレイリスト作成画面１００では、この後オペレータが所望するクリツプの送出順位、クリツプＩＤ、放送開始時刻、備考情報及びクリツプ長等をキーボード４６（図３）を用いて入力することによつて、これら情報をそれぞれクリツプ情報表示欄１０４内のイベント番号表示部１０５、クリツプＩＤ表示部１０６、スタート時刻表示部１０７、備考情報表示部１０８及びデユレーシヨン表示部１０９にそれぞれ表示せることができる。
【００６９】
このとき例えばそのクリツプの放送開始時刻を入力する際に、その先頭に「Ｋ」又は「ｋ」を入力することによつて、そのＣＭの送出トリガとしてキー入力を指定することができ、「Ｋ」又は「ｋ」に代えて「Ｃ」又は「ｃ」を入力することによつてそのＣＭの送出トリガとしてプレイアウト制御部２９のタイマ時刻を指定することができる。またその先頭に何も入力しないことによつて、そのＣＭの送出トリガとして主制御装置２（図１）からのＧＰＩ信号Ｓ３Ａ〜Ｓ３Ｆ（図１）を指定することができる。
【００７０】
さらにクリツプ情報表示欄１０４内のイベント番号表示部１０５、クリツプＩＤ表示部１０６、スタート時刻表示部１０７、備考情報表示部１０８及びデユレーシヨン表示部１０９にそれぞれオペレータが所望するクリツプの送出順位、クリツプＩＤ、放送開始時刻、備考情報及びクリツプ長等の情報が表示された状態において、キーボード４６（図３）の『Enter 』キーを押圧操作することによつてこれら情報をプレイリスト表示欄１１１に表示させることができる。
【００７１】
この場合プレイリスト表示欄１１１は、イベント番号表示部１１１Ａ、スタート時刻表示部１１１Ｂ、クリツプＩＤ表示部１１１Ｃ、タイトル表示部１１１Ｄ、備考情報表示部１１１Ｅ、デユレーシヨン表示部１１１Ｆ及び合計時間表示部１１１Ｇから構成されており、クリツプ情報表示欄１０４に表示されたそのクリツプの送出順位、クリツプＩＤ、放送開始時刻、備考情報及びクリツプ長がそれぞれ同じ段のイベント番号表示部１１１Ａ、スタート時刻表示部１１１Ｂ、クリツプＩＤ表示部１１１Ｃ、備考情報表示部１１１Ｅ及びデユレーシヨン表示部１１１Ｆ内に表示される。またこのときハードデイスク装置４９（図３）に格納されているエンコードデータに基づいて、そのクリツプのタイトルがタイトル表示部１１１Ｄに表示される。
【００７２】
このとき例えばクリツプ情報表示欄１０４内のインサートモード選択ボタン１１２及びオーバーライト選択ボタン１１３のうち、インサートモード選択ボタン１１２がチエツクされている場合には、当該クリツプの各情報がプレイリスト表示欄１１１内の対応する段に挿入されるようにして表示される。これに対してオーバーライト選択ボタン１１３がチエツクされている場合には、そのクリツプの各情報がプレイリスト表示欄１１１内に予め表示された同じイベント番号の情報表示上にオーバーライトされるようにして表示される。
【００７３】
そして同様の操作によりイベント番号「１」番から順番に所望する各クリツプの送出順位、クリツプＩＤ、タイトル、放送開始時刻、備考情報及びクリツプ長等の各種情報をプレイリスト表示欄１１１に表示させるようにする。これによりプレイリスト表示欄１１１を用いて図９のようなプレイリストを作成することができる。
【００７４】
なおこの際、番組の放送が予定されている時間帯については、クリツプ情報表示欄１０４のイベント番号表示部１０５及びスタート時刻表示部１０７内にそれぞれイベント番号及び放送開始時刻を表示させると共にクリツプＩＤ表示部１０６にピリオド「．」を表示させた後、キーボード４６（図３）の『Enter 』キーを押圧操作するようにする。この結果プレイリスト作成画面１００のプレイリスト表示欄１１１内のそのイベント番号に対応する段が例えば青色に着色され、タイトル表示部１１１Ｄ内に番組の放送時間帯を意味する「ＰＧＭ」の文字が表示される。
【００７５】
因に、このプレイリスト作成画面１００では、プレイリスト表示欄１１１内に合計で９９９個のＣＭクリツプ又は番組からなるイベントの送出順位を設定（すなわち９９９個までのイベントからなるプレイリストを作成）することができる。またプレイリスト表示欄１１１に表示されたイベントのうち、不要なイベントの段をクリツクした後、クリツプ情報表示欄１０４内にデリートボタン１１０をクリツクすることによつて、そのイベントをプレイリスト表示欄１１１内から削除することができる。
【００７６】
そしてこのようにして作成したプレイリストを登録したい場合にはセーブボタン１１４をクリツクするようにする。この結果プレイリスト表示欄１１１に表示されたプレイリストのデータがＣＰＵ４０（図３）の制御のもとにハードデイスク装置４９（図３）内に格納されて保存される。
【００７７】
これに対してこのプレイリストをキヤンセルしたい場合にはキヤンセルボタン１１５をクリツクするようにする。この結果プレイリスト表示欄１１１に表示された各情報をセーブすることなく消去することができる。
【００７８】
またこのプレイリスト作成画面１００をプリントしたい場合にはプリントボタン１１６をクリツクするようにする。この結果ＣＰＵ４０の制御のもとに、このプレイリスト作成画面１００をプリントすることができる。
【００７９】
さらにこのプレイリスト作成画面１００では、エデイツト（マウス）ボタン１１７をクリツクすることによつて、マウス操作によりプレイリストを作成することができるプレイリスト作成画面に切り換えることができ、これに対してプレイリストテーブルボタン３１８をクリツクすることよつて、プレイリストマネージメント画面８０（図７）のプレイリストボツクス８１と同様のプレイリストボツクスが表示されたプレイリストテーブル画面に切り換えることができる。
【００８０】
またプレイリスト作成画面１００では、プレビアスボタン１１９をクリツクすることによつて前の画面（すなわちプレイリストマネージメント画面８０（図７））に戻ることができ、さらにメインメニユーボタン１２０をクリツクすることによつて、メインメニユー画面７０（図６）に戻ることができる。
【００８１】
一方ＣＰＵ４０（図３）は、ＣＲＴ５０（図３）にメインメニユー画面７０（図６）が表示された状態において、マウス操作によりチヤンネルステータスボタン７３がクリツクされると、図１０に示すチヤンネルステータス及びプレイアウトコントロール画面１３０をＣＲＴ５０に表示させる。
【００８２】
このチヤンネルステータス及びプレイアウトコントロール画面１３０は、各チヤンネル毎のプレイリストを設定し、かつプレイリストに基づく各チヤンネルのＣＭの送出状態を監視するための画面であり、例えばいずれかのチヤンネルのプレイリストを設定する場合には、まずプレイリストテーブルボタン１３１をクリツクすることにより、図１１のようなプレイリストテーブル画面１３２をＣＲＴ５０に表示させる。
【００８３】
このプレイリストテーブル画面１３２では、すでに作成されて登録された複数のプレイリストの各ＩＤ（Play List ID）と、その放送予定日（ON-Air-Date ）と、放送予定チヤンネル（VSR OUT ）とがそれぞれ一覧としてプレイリストボツクス１３３内に表示される。
【００８４】
そしてこのプレイリストボツクス１３３内の表示内容は、当該プレイリストボツクス１３３横に表示されたアツプダウンボタン１３４Ａ、１３４Ｂをマウス操作によりクリツクすることによりスクロールさせることができる。
【００８５】
そしてオペレータは、元のチヤンネルステータス及びプレイアウトコントロール画面１３０に戻りたい場合にはキヤンセルボタン１３５をクリツクし、これに対してプレイリストボツクス１３３内に表示された所望するプレイリストを選択する場合にはそのプレイリストＩＤをクリツクした後オープンボタン１３６をクリツクするようにする。
【００８６】
この結果ＣＲＴ５０には元のチヤンネルステータス及びプレイアウトコントロール画面１３０が表示されると共に、選択したプレイリストの内容がチヤンネルステータス及びプレイアウトコントロール画面１３０のプレイリスト表示欄１１３７内に表示され、そのプレイリストのプレイリストＩＤ及び放送予定日がそれぞれプレイリストＩＤ表示欄１３８及び日付表示欄１３９に表示される。
【００８７】
そしてこの後アクテイブボタン１４０をクリツクすることにより対応するダイアログボツクス（図示せず）をオープンさせた後、送出を開始するイベント番号を入力した後、当該ダイアログボツクス内のＯＫボタンをクリツクするようにする。
【００８８】
これによりチヤンネルステータス及びプレイアウトコントロール画面１３０のプレイリスト表示欄１３７に表示されたプレイリストをチヤンネル表示欄１４１に表示されたチヤンネルで待機状態にする（すなわちそのチヤンネルにそのプレイリストを設定する）ことができる。なおチヤンネル表示欄１４１に表示されたチヤンネル番号は、プルダウンボタン１４２を用いて変更することができ、これにより所望のプレイリストを所望チヤンネルに設定することができる。
【００８９】
そしてチヤンネルステータス及びプレイアウトコントロール画面１３０では、このようにして設定したプレイリストの実行処理時、プレイリスト表示欄１３７のイベント番号表示部１３７Ａ内に、そのときまでに送出が終了しているイベントに対してチエツクマーク１４３が表示される。
【００９０】
またそのとき送出しているイベントについては、対応する段が所定の第１の色で着色表示され、送出スタンバイが完了して内容を変更することができないイベントについては対応する段が所定の第２の色で着色表示される。
【００９１】
さらにプレイリスト表示欄１３７に表示されたプレイリストの実行時、次の番組の開始時刻までの残り時間がカウントダウン表示部１４４内に表示される。
【００９２】
これによりこのチヤンネルステータス及びプレイアウトコントロール画面１３０を用いて各チヤンネル毎に設定したプレイリストの実行状態を監視することができる。
【００９３】
なおチヤンネルステータス及びプレイアウトコントロール画面１３０では、ストツプボタン１４５をクリツクすることによつてプレイリスト表示欄１３７に表示されたプレイリストの実行処理を停止させることができる。
【００９４】
またマルチステータスボタン１４６をクリツクすることよつて、図１２に示すような全チヤンネルのプレイリストの実行状態を表すマルチチヤンネル表示画面１４７を表示させることができ、メインメニユーボタン１４８をクリツクすることによつてメインメニユー画面７０（図６）に戻ることができる。
【００９５】
さらにチヤンネルステータス及びプレイアウトコントロール画面１３０では、エデイツトプレイリストボタン１４９をクリツクすることによつて、図１３に示すプレイリスト編集画面１５０を表示させることができる。
【００９６】
この場合このプレイリスト編集画面１５０は、現在実行されているプレイリストを編集するための画面であり、プレイリスト作成画面１００（図８及び図９）のキヤンネルボタン１１５、プリントボタン１１６、エデイツトボタン１１７、プレイリストテーブルボタン１１８、プレビアスボタン１１９及びメインメニユーボタン１２０とそれぞれ同様の機能を有するキヤンネルボタン１５１、プリントボタン１５２、エデイツトボタン１５３、プレイリストテーブルボタン１５４、プレビアスボタン１５５及びメインメニユーボタン１５６が表示される。
【００９７】
またこのプレイリスト編集画面１５０では、プレイリスト作成画面１００（図８及び図９）のクリツプ情報表示欄１０４、日付表示欄１０１、チヤンネル番号表示欄１０２、プレイリストＩＤ表示欄１０３及びプレイリスト表示欄１１１と同様のクリツプ情報表示欄１５７、日付表示欄１５８、チヤンネル番号表示欄１５９、プレイリストＩＤ表示欄１６０及びプレイリスト表示欄１６１が表示され、プレイリスト表示欄１６１内にその直前のチヤンネルステータス及びプレイアウトコントロール画面１３０（図１０）のプレイリスト表示欄１３７に表示されていたプレイリストが表示される。
【００９８】
そしてこのプレイリスト編集画面１５０では、プレイリスト表示欄１６１のイベント番号表示部１６１Ａ内にそのときまでに送出されているイベントについてはチエツクマーク１６２が表示される。またそのとき送出しているイベントについては、対応する段が所定の第１の色で着色表示され、送出スタンバイが完了して内容を変更することができないイベントについては対応する段が所定の第２の色で着色表示される。
【００９９】
さらにこのプレイリスト編集画面１５０では、各イベントについて送出10秒前までは編集を行うことができ、プレイリスト表示欄１６１のイベント番号表示部１６１Ａ内には編集できない最後のイベントのイベント番号の左横に下向き矢印１６３が表示される。
【０１００】
従つてオペレータは、このプレイリスト編集画面１５０を用いて、プレイリスト表示欄１６１に表示された各イベントのうち、下向き矢印１６３よりも下のイベントについてクリツプ情報表示欄１５７を用いて所望のクリツプに変更したり、又はそのクリツプの送出トリガを変更するなどの編集を行うことができる。
【０１０１】
（５）本実施の形態の動作及び効果
以上の構成において、このテレビジヨン放送システム１のＣＭインサーシヨン装置４では、プレイアウト部１１のプレイアウト制御部２９を用いてプレイリストを作成する際、ＣＭの送出トリガとして主制御装置２（図１）から与えられるＧＰＩ信号Ｓ３Ａ〜Ｓ３Ｆと、キー入力と、プレイアウト制御部２９内のタイマ時刻とのいずれか１つを選択することができる。
【０１０２】
そしてプレイアウト制御部２９は、プレイリストの実行時、送出すべきＣＭの送出トリガとしてキー入力が設定されている場合において、当該プレイアウト制御部２９のキーボード４６を介して所定のキー入力が与えられた場合や、送出すべきＣＭの送出トリガとしてプレイアウト制御部２９内のタイマ時刻が設定されている場合において、当該タイマ４４の時刻が指定された時刻になると、これに応動してＧＰＩ信号Ｓ４Ａ〜Ｓ４Ｆをビデオサーバ２５に送出する。
【０１０３】
このときビデオサーバ２５は、各チヤンネル毎に次のＣＭの送出スタンバイを完了しており、プレイアウト制御部２９からＧＰＩ信号Ｓ４Ａ〜Ｓ４Ｆが与えられると、これを送出トリガとして対応するＣＭを対応するメデイアユニツト３０Ａ〜３０Ｇから読み出し、これをデコードして、得られたＣＭの映像音声信号Ｓ２Ａ〜Ｓ２Ｆをスイツチヤ５（図１）に送出する。
【０１０４】
従つてこのテレビジヨン放送システム１では、上述のようにＣＭインサーシヨン装置４のプレイリストを管理するプレイアウト制御部２９にプレイリストに基づいてＧＰＩ信号Ｓ４Ａ〜Ｓ４Ｆを出力する機能をもたせた分、ＣＭの送出トリガとして当該ＧＰＩ信号Ｓ４Ａ〜Ｓ４Ｆを設定しておく（すなわちキー入力又はプレイアウト制御部２９のタイマ時刻を送出トリガとして設定しておく）ことによつて、主制御装置２の不具合等に関わりなく、ビデオサーバ２５から確実に対応するＣＭの映像音声信号Ｓ２Ａ〜Ｓ２Ｆを送出することができる。
【０１０５】
以上の構成によれば、ＣＭインサーシヨン装置４のプレイリストを管理するプレイアウト制御部２９にＧＰＩ信号の出力機能Ｓ４Ａ〜Ｓ４Ｆをもたせるようにしたことにより、主制御装置２の不具合等にかかわりなくビデオサーバ２５から確実に対応するＣＭの映像音声信号Ｓ２Ａ〜Ｓ２Ｆを送出し得るようにすることができ、かくしてＣＭ送出に対する信頼性の高いテレビジヨン放送システムの実現できる。
【０１０６】
（６）他の実施の形態
なお上述の実施の形態においては、本発明をテレビジヨン放送システム１のＣＭインサーシヨン装置４に適用するようにした場合について述べたが、本発明はこれに限らず、ＣＭの映像音声信号Ｓ２Ａ〜Ｓ２Ｆ以外の各種情報素材を送出するこの他種々の情報送出装置に広く適用することができる。
【０１０７】
また上述の実施の形態においては、送出予定の複数のＣＭクリツプのエンコードデータＤ１を記憶すると共に、プレイリストに基づいて対応するＣＭクリツプのエンコードデータＤ１の送出スタンバイを行い、トリガ信号としてのＧＰＩ信号Ｓ３Ａ〜Ｓ３Ｆ、Ｓ４Ａ〜Ｓ４Ｆが与えられたタイミングで当該送出スタンバイしたクリツプのエンコードデータＤ１をデコードして送出する情報記憶送出手段としてのビデオサーバ２５を図４のように構成するようにした場合について述べたが、本発明はこれに限らず、この他種々の構成を広く適用することができる。
【０１０８】
さらに上述の実施の形態においては、プログラムリストを管理し、当該プログラムリストに基づいて必要時にビデオサーバ２５に対してトリガ信号としてのＧＰＩ信号Ｓ４Ａ〜Ｓ４Ｆを送出するプログラム管理手段としてのプレイアウト制御部２９を図３のように構成するようにした場合について述べたが、本発明はこれに限らず、この他種々の構成を広く適用することができる。
【０１０９】
さらに上述の実施の形態においては、プレイリスト上で設定された各ＣＭクリツプに対するＧＰＩ信号Ｓ３Ａ〜Ｓ３Ｆ、Ｓ４Ａ〜Ｓ４Ｆの出力元を、プレイアウト制御部２９又は主制御装置２のいずれかに自在に切り換えることができる機能（プレイリスト作成画面８０や、プレイリスト編集画面１５０をＣＲＴ５０に表示させるプログラムに相当）をプレイアウト制御部２９に搭載するようにした場合について述べたが、本発明はこれに限らず、ビデオサーバ２５に搭載するようにしても良い。
【０１１０】
さらに上述の実施の形態においては、ＣＭインサーシヨン装置４においてプレイリストの作成や、編集及び管理をプレイアウト制御部２９のみで行い得るようにするようにした場合について述べたが、本発明はこれに限らず、例えばプレイアウト制御部２９にイーサネツトを介して複数台のパーソナルコンピユータを接続すると共に、これら各パーソナルコンピユータにプレイアウト制御部２９に搭載された各種ソフトウエアと同じソフトウエアを搭載するようにして、これら各パーソナルコンピユータによつてプレイリストの作成や、編集及び管理を行い得るようにするようにしても良い。
【０１１１】
さらに上述の実施の形態においては、プレイリスト上で規定するＣＭの送出トリガの種類として主制御装置２からのＧＰＩ信号Ｓ３Ａ〜Ｓ３Ｆ、キー入力及びプレイアウト制御部２９内のタイマ時刻の３種類を設けるようにした場合について述べたが、本発明はこれに限らず、要は、ビデオサーバ２５に対して種々の方法により所望のタイミングでトリガ信号を与えることができるようにするのであれば、プレイリスト上で規定するＣＭの送出トリガの種類としては、この他種々の送出トリガを適用することができる。
【０１１２】
【発明の効果】
上述のように本発明によれば、情報素材の送出順序を規定したプログラムリストに従つて複数の情報素材を順次送出する情報送出装置において、送出予定の複数の情報素材を記憶すると共に、プログラムリストに基づいて、記憶した複数の情報素材のなかから対応する情報素材の送出スタンバイを行い、トリガ信号が与えられたタイミングで当該送出スタンバイした情報素材を送出する情報記憶送出手段と、プログラムリストを管理し、当該プログラムリストに基づいて必要時に上記情報記憶送出手段に対してトリガ信号を送出するプログラムリスト管理手段とを設けるようにしたことにより、外部機器の不具合等に係わりなく、プログラムリスト管理手段から出力されるトリガ信号に基づいて情報記憶送出手段から対応する情報素材を確実に送出させることができ、かくして情報送出の信頼性を向上させ得る情報送出装置を実現できる。
【０１１３】
また情報素材の送出順序を規定したプログラムリストに従つて複数の情報素材を順次送出する情報送出方法において、所定の情報記憶送出手段により、送出予定の複数の情報素材を記憶すると共に、プログラムリストに基づいて、記憶した複数の情報素材のなかから対応する情報素材の送出スタンバイを行い、トリガ信号が与えられたタイミングで当該送出スタンバイした情報素材を送出する情報記憶送出ステップと、所定のプログラムリスト管理手段により、プログラムリストを管理し、当該プログラムリストに基づいて必要時に情報記憶送出手段に対してトリガ信号を送出するプログラムリスト管理ステップとを設けるようにしたことにより、外部機器の不具合等に係わりなく、プログラムリスト管理ステップから出力されるトリガ信号に基づいて情報記憶送出ステップから対応する情報素材を確実に送出させることができ、かくして情報送出の信頼性を向上させ得る情報送出方法を実現できる。
【図面の簡単な説明】
【図１】本実施の形態によるテレビジヨン放送システムの構成を示すブロツク図である。
【図２】ＣＭインサーシヨン装置の構成を示すブロツク図である。
【図３】プレイアウト制御部の構成を示すブロツク図である。
【図４】ビデオサーバの構成を示すブロツク図である。
【図５】プレイアウト制御部における各画面への推移を表す概念図である。
【図６】メインメニユー画面を示す略線図である。
【図７】プレイリストマネージメント画面を示す略線図である。
【図８】プレイリスト作成画面を示す略線図である。
【図９】プレイリスト作成画面を示す略線図である。
【図１０】チヤンネルステータス及びプレイアウトコントロール画面を示す略線図である。
【図１１】プレイリストテーブル画面を示す略線図である。
【図１２】マルチチヤンネル表示画面を示す略線図である。
【図１３】プレイリスト編集画面を示す略線図である。
【符号の説明】
１……テレビジヨン放送システム、２……主制御装置、３……番組送出装置、４……ＣＭインサーシヨン装置、５……スイツチヤ、１０……エンコード処理部、１１……プレイアウト部、２４……エンコーダ部、２５……ビデオサーバ、２９……プレイアウト制御部、４０……ＣＰＵ、４４……タイマ、４６……キーボード、４７……マウス、４９……ハードデイスク装置、５０……ＣＲＴ、７０……メインメニユー画面、８０……プレイリストマネージメント画面、１００……プレイリスト作成画面、１３０……チヤンネルステータス及びプレイアウトコントロール画面、１３２……プレイリストテーブル画面、１４７……マルチチヤンネル表示画面、１５０……プレイリスト編集画面、Ｓ１Ａ〜Ｓ１Ｆ、Ｓ２Ａ〜Ｓ２Ｆ……映像音声信号、Ｓ３Ａ〜Ｓ３Ｆ、Ｓ４Ａ〜Ｓ４Ｆ……ＧＰＩ信号、Ｄ１、Ｄ２……エンコードデータ。
【図１】
0003997497.tif 000002
【図２】
0003997497.tif 000003
【図３】
0003997497.tif 000004
【図４】
0003997497.tif 000005
【図５】
0003997497.tif 000006
【図６】
0003997497.tif 000007
【図７】
0003997497.tif 000008
【図８】
0003997497.tif 000009
【図９】
0003997497.tif 000010
【図１０】
0003997497.tif 000011
【図１１】
0003997497.tif 000012
【図１２】
0003997497.tif 000013
【図１３】
0003997497.tif 000014